(57)【要約】  【課題】  滴受皿を容易に設置することができる水洗式小便器装置を提供する。    【解決手段】  小便器本体と、前記小便器本体に洗浄水を流すための給水管と、給水管の途中に装着されたフラッシュバルブと、前記小便器本体の下方の床部に配設され、前記小便器本体の周囲に落ちる尿を受ける滴受皿と、前記フラッシュバルブよりも下流側の給水管から分岐して前記滴受皿に洗浄水を流すための第二給水管と、前記便器本体及び前記滴受皿の尿を前記洗浄水と共に排水するための排水管と、を備え、前記床部に開口部を設け、前記開口部内で前記滴受皿を受けるための受け部を設けたことを特徴とする。  【選択図】    図１
2007186877.tif 000002
【特許請求の範囲】
【請求項１】
小便器本体と、
前記小便器本体に洗浄水を流すための給水管と、
給水管の途中に装着されたフラッシュバルブと、
前記小便器本体の下方の床部に配設され、前記小便器本体の周囲に落ちる尿を受ける滴受皿と、
前記フラッシュバルブよりも下流側の給水管から分岐して前記滴受皿に洗浄水を流すための第二給水管と、
前記便器本体及び前記滴受皿の尿を前記洗浄水と共に排水するための排水管と、を備え、
前記床部に開口部を設け、前記開口部内で前記滴受皿を受けるための受け部を設けたことを特徴とする水洗式小便器装置。
【請求項２】
前記滴受皿を排水目皿で覆い、前記排水目皿の上面と前記床面とを面一にしたことを特徴とする請求項２に記載の水洗式小便器装置。
【請求項３】
小便器本体と、
前記小便器本体に洗浄水を流すための給水管と、
給水管の途中に装着されたフラッシュバルブと、
前記小便器本体の下方の床部に配設され、前記小便器本体の周囲に落ちる尿を受ける滴受皿と、
前記フラッシュバルブよりも下流側の給水管から分岐して前記滴受皿に洗浄水を流すための第二給水管と、
前記便器本体及び前記滴受皿の尿を前記洗浄水と共に排水するための排水管と、を備え、
前記滴受皿は前記床部の上面に載置し、前記滴受皿の周囲に前記床部の床面よりも一段高くなった段差床を設けたことを特徴とする水洗式小便器装置。
【請求項４】
前記滴受皿を排水目皿で覆い、前記排水目皿の上面と前記段差床の上面とを面一にしたことを特徴とする請求項３に記載の水洗式小便器装置。
【発明の詳細な説明】
【技術分野】
【０００１】
本発明は、滴受皿を備えた水洗式小便器に関するものである。
【背景技術】
【０００２】
水洗式小便器は、一般に、小便器本体が壁部に取り付けられ、小便器本体内に入った尿は、洗浄水によって排水管から排水されるように構成されている。また、前記小便器本体には洗浄水を流すための給水管が設けられ、使用後にフラッシュ弁を開放することにより、前記給水管から小便器本体の内面に添って洗浄水が流出するようになっている。
【０００３】
しかしながら、小便器本体からこぼれ落ちる尿は、床面上に残留するという問題があった。
【０００４】
そこで、小便器本体と、該小便器本体の下方の床面上に配設され、床面上に落下する尿を受ける滴受皿とを備え、前記小便器本体及び滴受皿が洗浄水を流すための給水管をそれぞれ備えた水洗式小便器が提案されている（特許文献１等）。
【０００５】
【特許文献１】特開平６−２６０９０号公報
【発明の開示】
【発明が解決しようとする課題】
【０００６】
しかしながら、かかる水洗式小便器にあっては、滴受皿の外周部が床中に埋め込まれているので、施工が複雑になるという問題があった。
【０００７】
そこで、本発明は、滴受皿を容易に設置することができる水洗式小便器装置を提供することを課題とする。
【課題を解決するための手段】
【０００８】
本発明者は、前記課題を解決するために鋭意研究を重ねて完成されたものである。
１．小便器本体と、前記小便器本体に洗浄水を流すための給水管と、給水管の途中に装着されたフラッシュバルブと、前記小便器本体の下方の床部に配設され、前記小便器本体の周囲に落ちる尿を受ける滴受皿と、前記フラッシュバルブよりも下流側の給水管から分岐して前記滴受皿に洗浄水を流すための第二給水管と、前記便器本体及び前記滴受皿の尿を前記洗浄水と共に排水するための排水管と、を備え、前記床部に開口部を設け、前記開口部内で前記滴受皿を受けるための受け部を設けたことを特徴とする水洗式小便器装置を提供する。
２．前記滴受皿を排水目皿で覆い、前記排水目皿の上面と前記床面とを面一にしたことを特徴とする前記２に記載の水洗式小便器装置を提供する。
３．小便器本体と、前記小便器本体に洗浄水を流すための給水管と、給水管の途中に装着されたフラッシュバルブと、前記小便器本体の下方の床部に配設され、前記小便器本体の周囲に落ちる尿を受ける滴受皿と、前記フラッシュバルブよりも下流側の給水管から分岐して前記滴受皿に洗浄水を流すための第二給水管と、前記便器本体及び前記滴受皿の尿を前記洗浄水と共に排水するための排水管と、を備え、前記滴受皿は既設の前記床部の上面に載置されることを特徴とする小便器装置を提供する。
４．前記滴受皿を排水目皿で覆い、前記排水目皿の上面と前記段差床の上面とを面一にしたことを特徴とする前記３に記載の水洗式小便器装置を提供する。
【発明の効果】
【０００９】
請求項１に係る水洗式小便器装置によれば、前記床部に開口部を設け、前記滴受皿の周囲に外鍔を設け、前記外鍔を前記床部の開口部の周縁に掛け止めした状態で前記滴受皿を前記開口部内に位置させ、前記滴受皿の上面と前記床部の床面とがほぼ面一になるように設定したので、前記床部に開口部を設け、前記開口部に前記滴受皿を入れて前記滴受皿の外鍔を前記開口部の縁部に引っ掛けるだけで前記滴受皿の施工ができ、施工が容易になり、既設の便所の改修を容易になる。
【００１０】
請求項２に係る水洗式小便器装置によれば、前記滴受皿を排水目皿で覆い、前記排水目皿の上面と前記床面とを面一にしたので、前記床部に前記滴受皿をスッキリと納めることができ、用便時に前記滴受皿が邪魔にならない。
【００１１】
請求項３に係る水洗式小便器装置によれば、前記滴受皿は前記床部の上面に載置されたので、既設の床部に前記滴受皿を載せて該滴受皿に前記給水管を接続するだけで施工が完了するので、施工性が向上し、既設の便所の改修を容易になる。
【００１２】
請求項４に係る水洗式小便器装置によれば、前記滴受皿を排水目皿で覆い、前記排水目皿の上面と前記段差床の上面とを面一にしたので、前記滴受皿を床面上に載置して施工しても、用便の際に前記滴受皿が邪魔にならない。
【発明を実施するための最良の形態】
【００１３】
以下、本発明に係る水洗式小便器装置の実施形態について図面を参照しつつ説明する。
＜実施形態１＞
図１及び２のように、１は据置式の小便器本体であって、床部Ｆの床面から所定の高さを保って壁部Ｗに取り付けられており、小便器本体１の底部１ａの図外の排水口には床下の排水管２に接続されている。
【００１４】
小便器本体１には、洗浄水を流すための給水管３が接続され、給水管３にはフラッシュ弁３１が設けられ、使用後に押釦３２を押圧するとフラッシュ弁３１が一定時間開放して、給水管３から洗浄水が小便器本体１の内面に添って流出するようになっている。
【００１５】
また、小便器本体１下部の周囲には小便器本体１からこぼれた尿や小便器本体の外にこぼした尿を受けるための滴受皿５が位置し、滴受皿５の外周には外鍔５１を有する係止体５２が取り付けられている。滴受皿５には給水口５ａと排水口５ｂが設けられ、排水口５ｂ側が次第に低くなるように形成されている。また、滴受皿５の一側部は小便器下部の前面側の形状と合致するように凹曲している。
【００１６】
図中の符号６は、滴受皿５を上から覆う排水目皿であって、排水目皿６の形状は滴受皿５の平面視の形状と近似し、外周部には係止鍔６１が設けられている。
【００１７】
小便器本体１下部の周囲の床部Ｆには開口部７が設けられ、開口部７に滴受皿５を挿入して滴受皿５の係止体５２の外鍔５１を床部Ｆの上面に着脱自在に係止し、更に排水目皿６の係止鍔６１を床部Ｆの上面に着脱自在に係止しており、排水目皿６の上面と床部Ｆの床面とは面一になるように設定されている。
【００１８】
滴受皿５の排水口５ｂには第二排水管２Ａが接続され、第二排水管２Ａの下端部は排水管２に排水トラップ２Ｂを介して接続されている。フラッシュ弁３１よりも下流側の給水管３からは第二給水管３Ａが分岐し、第二給水管３Ａの下端部は排水目皿６の目孔６２を通って滴受皿５の給水口５ａに接続されている。
【００１９】
かかる構成を有する水洗式小便器装置において、用便後に、フラッシュ弁３１の押釦３２を押圧すると、フラッシュ弁３１が一定時間開放し、第二給水管３Ａから給水口５ａを通って滴受皿５上に洗浄水が流出し、図４の矢印で模式的に示すように、尿を洗い流しながらの流れて最終的には排出口５ｂから排出されて第二排水管２Ａを通って排出管２に流れ込む。また、給水管３から小便器本体１０内に流出する洗浄水によって小便器本体１に付着する尿が洗い流されて排水管２を通じて排出される。
【００２０】
従って、小便器本体１の内面に尿等による凝固物が付着することがないばかりでなく、小便器本体１からこぼれた尿で床面を汚すことなく、綺麗に洗い流される。また、既設の便所の滴受皿５を後付する場合には、床部Ｆに開口部を設けることに滴受皿５の設置ができ、また、小便器本体１を洗い流す洗浄水の給水管３の分岐管（第二給水管３Ａ）を設けることにより、滴受皿５の洗浄を容易に行うことができる。なお、新たに施工する便所は当初からかかる構成にしても良い。
＜実施形態２＞
本実施形態では、図８のように小便器本体１下部の周囲の床部Ｆの床面上に滴受皿５５を載置する点で実施形態１とは異なる。なお、実施形態１と同一又は類似する構成については、実施形態１と同符号を付することによって、それらの説明を省略する。
【００２１】
滴受皿５の第二排水管２Ａは床部Ｆに明けられた孔８を通って排水管２に接続されている。
【００２２】
滴受皿５の周囲に床部Ｆの床面よりも一段高くなった段差床Ｆ１を設け、段差床Ｆ１には滴受皿５及び排水目皿６を納めるための開口部Ｆ２が設けられ、開口部Ｆ２内に滴受皿５及び排水目皿６を納めて排水目皿６の係止鍔６１を段差床Ｆ１の上面に係止し、また、滴受皿５を覆う排水目皿６の上面と段差床Ｆ１の上面とが面一になるように設定されている。なお、本実施形態の滴受皿５には係止体５２は設けられていない。
【００２３】
なお、以上は床置式型便器について説明したが、壁掛型小便器の場合にも適用することができるのは勿論のことである。
【図面の簡単な説明】
【００２４】
【図１】本発明の水洗式小便器装置の実施形態１を示す斜視図である。
【図２】同実施形態１を示す側断面図である。
【図３】図２のＸ部分の拡大図である。
【図４】同実施形態１の排水目皿を除いた状態の平面図である。
【図５】同実施形態１の滴受皿の斜視図である。
【図６】同実施形態１の排水目皿の斜視図である。
【図７】本発明の水洗式小便器装置の実施形態２を示す斜視図である。
【図８】同実施形態２を示す側断面図である。
【符号の説明】
【００２５】
１        小便器本体
Ｆ        床部
Ｗ        壁部
２        排水管
２Ａ      第二排水管
３        給水管
３Ａ      第二給水管
５        滴受皿
５１      外鍔
５２      係止体
６        排水目皿
【図１】
2007186877.tif 000003
【図２】
2007186877.tif 000004
【図３】
2007186877.tif 000005
【図４】
2007186877.tif 000006
【図５】
2007186877.tif 000007
【図６】
2007186877.tif 000008
【図７】
2007186877.tif 000009
【図８】
2007186877.tif 000010